【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
医療装置であって、前記医療装置は、
（ａ）真っすぐになった状態および屈曲して展開された状態を想定して相互に連結された複数のセグメントを含む、インプラント体を含み、前記インプラント体は、少なくとも２つの係合要素をとともに形成され、少なくとも２つの異なるセグメントの各々は、１つの係合要素を有し、前記医療装置はまた、
（ｂ）前記インプラント体の１つのセグメントに固定された、細長いロック要素を含み、前記ロック要素は、少なくとも２つの係合要素に対応する少なくとも２つの突起を有し、ここで、前記ロック要素が、前記屈曲して展開された状態に達するように偏向されるときに、ロック要素の少なくとも２つの突起は、インプラント体の少なくとも２つの係合要素に係合し、それらによってロックするように、前記インプラント体および前記ロック要素はロックするように構成され、
各ロックセグメントは、連続するセグメントの屈曲およびロック後にロックされたままであり、前記ロック配置は、前記インプラント体に対して前記ロック要素をロックするのに有効であり、それによって、前記屈曲して展開された状態で前記インプラントを保持する、ことを特徴とする医療装置。
【請求項２】
前記ロック要素は、前記インプラント体の遠位のセグメントで固定され、ここで、前記インプラント体および前記ロック要素は、前記ロック要素に適用された張力が、前記インプラント体を前記真っすぐになった状態から前記屈曲して展開された状態まで付勢する傾向にあるように構成される、ことを特徴とする請求項１に記載の医療装置。
【請求項３】
前記インプラント体の少なくとも３つセグメントの各々は、少なくとも１つの係合要素とともに形成され、締付要素は、前記ロック配置を提供するために、前記インプラント体の前記係合要素の少なくとも１つに対応する且つ係合する突起を有する、ことを特徴とする請求項１に記載の医療装置。
【請求項４】
前記インプラント体の少なくとも３分の１のセグメントの各々は、少なくとも１つの係合要素とともに形成され、前記締付要素は、前記ロック配置を提供するために、前記インプラント体の前記係合要素の各々に対応する且つ係合する突起を有する、ことを特徴とする請求項１に記載の医療装置。
【請求項５】
４つの連続するセグメントの少なくとも１つのセグメントの各々は、係合要素を有し、前記締付要素の対応する突起によってロックする、ことを特徴とする請求項１に記載の医療装置。
【請求項６】
遠位のセグメント以外の前記インプラント体のセグメントの各々は、少なくとも１つの係合要素とともに形成され、前記締付要素は、前記ロック配置を提供するために、前記インプラント体の前記係合要素の少なくとも２つに対応する且つ係合する突起を有する、ことを特徴とする請求項１に記載の医療装置。
【請求項７】
セグメントの大部分は、少なくとも１つの係合要素とともに形成され、締付要素は、少なくとも１つの係合要素の各々に対応する突起を有する、ことを特徴とする請求項１に記載の医療装置。
【請求項８】
前記突起は歯であり、前記係合要素は段である、ことを特徴とする請求項１に記載の医療装置。
【請求項９】
前記突起は弾性タブであり、前記係合要素は補足的な凹部である、ことを特徴とする請求項１に記載の医療装置。
【請求項１０】
各セグメントが屈曲して展開された状態で屈曲すると、各セグメントは、少なくとも１つの補足的な凹部を有し、少なくとも１つの弾性のタブは、各セグメントの少なくとも１つの補足的な凹部によってロックする、ことを特徴とする請求項９に記載の医療装置。
【請求項１１】
前記真っすぐになった状態において、前記インプラントを収容するような且つ前記インプラント体を維持するような大きさの導管をさらに含む、ことを特徴とする請求項１に記載の医療装置。
【請求項１２】
医療装置であって、前記医療装置は、
（ａ）真っすぐになった状態および屈曲して展開された状態を想定して相互に連結された複数のセグメントを含む、インプラント体を含み、前記インプラント体は、少なくとも２つのソケットを有し、少なくとも２つの異なるセグメントの各々は、１つのソケットを有し、前記医療装置はまた、
（ｂ）前記インプラント体の１つのセグメントで固定された、細長いロック要素を含み、前記ロック要素は、前記少なくとも２つのソケットに対応する少なくとも２つのバルジを有し、
ここで、前記ロック要素が、前記屈曲して展開された状態に達するように偏向されるときに、前記ロック要素の前記少なくとも２つのバルジは、前記インプラント体の前記少なくとも２つのソケットに係合し、それらによってロックするように、前記インプラント体および前記ロック要素はロックするように構成され、前記ロック配置は、複数のセグメントで前記インプラント体に対して前記ロック要素をロックするのに有効であり、それによって、前記屈曲して展開された状態で前記インプラントを保持する、ことを特徴とする医療装置。
【請求項１３】
前記ロック要素は、前記インプラント体の前記遠位のセグメントで固定され、ここで、前記インプラント体および前記ロック要素は、前記ロック要素に適用された張力が、前記インプラント体を前記真っすぐになった状態から前記屈曲して展開された状態まで付勢する傾向にあるように構成される、ことを特徴とする請求項１２に記載の医療装置。
【請求項１４】
前記インプラント体のセグメントの少なくとも半分のセグメントの各々は、少なくとも１つのソケットとともに形成され、ここで、前記締付要素は、前記ロック配置を提供するために、ソケットの略すべてに対応するバルジを有する、ことを特徴とする請求項１２に記載の医療装置。
【請求項１５】
バルジから最も近い隣接するバルジまでの長さは、セグメントの屈曲領域から隣接するセグメントの屈曲領域までの長さより短い、ことを特徴とする請求項１２に記載の医療装置。
【請求項１６】
バルジからバルジまでの長さは、略均一であり、ここで、ソケットからソケットまでの長さは、略均一である、ことを特徴とする請求項１２に記載の医療装置。
【請求項１７】
前記真っすぐになった状態において、前記締付要素の前記バルジの少なくともいくつかは、前記ソケットの外側の屈曲領域の部分に位置付けられ、前記屈曲して展開された状態において、前記締付要素の前記バルジは、屈曲したセグメントの前記ソケットに位置付けられる、ことを特徴とする請求項１２に記載の医療装置。
【請求項１８】
前記屈曲して展開された状態において、ソケットを有するすべての屈曲したセグメントは、ソケットに位置付けられるバルジも有する、ことを特徴とする請求項１２に記載の医療装置。
【請求項１９】
前記医療装置は螺旋状である、ことを特徴とする請求項１２に記載の医療装置。
【請求項２０】
前記真っすぐになった状態において、前記医療装置を収容するような且つ前記インプラント体を維持するような大きさの導管をさらに含む、ことを特徴とする請求項１２に記載の医療装置。
【請求項２１】
前記バルジおよび前記ソケットは球状である、ことを特徴とする請求項１２に記載の医療装置。
【請求項２２】
被験体の身体内に医療装置を展開するための方法であって、前記方法は、
（ａ）真っすぐになった状態を想定して相互に連結され、屈曲して展開された状態を想定して偏向可能である複数のセグメントを含む、インプラント体を提供する工程を含み、複数の前記セグメントは、各々、係合要素を有し、前記方法はさらに、
（ｂ）少なくとも２つの異なるセグメントの１つに固定され、前記インプラント体の伸長方向に沿って前記インプラント体に沿って伸びる、ロック要素を提供する工程を含み、前記ロック要素は、前記係合要素の各々に対応する突起を有し、前記方法はさらに、
（ｃ）被験体の身体へ前記インプラント体を進め、前記インプラント体が前記屈曲して展開された状態に偏向されるように、前記ロック要素上に後方張力を適用する工程を含み、
ここで、前記突起は、前記屈曲して展開された状態で対応するセグメントをロックするように、前記係合要素の対応物と噛み合う、ことを特徴とする方法。
【請求項２３】
前記ロック要素をその固定から解放し、前記ロック要素を前記医療装置から引き出す工程をさらに含む、ことを特徴とする請求項２２に記載の方法。